(57)【要約】【課題】本発明の課題は、消臭剤の残量を容易に見分けられる消臭器具を提供することにある。【解決手段】内部にゾル状またはゲル状の消臭剤Ｄを充填した容器１の外側に外枠４を嵌着し、該容器１内の消臭剤Ｄ上面には孔明き板３を載置し、該外枠４の上面から先端部にＵ字状弯曲部８を形成した弾性帯板からなるインジケーター７を斜め下方に差出し、該Ｕ字状弯曲部８の底面を該孔明き板３上面に圧設せしめた消臭器具２１Ａを提供する。該消臭器具２１Ａにあっては容器１内の消臭剤Ｄの量が減少するにつれて該インジケーター７のＵ字状弯曲部８の先端９が下がるので、これを観察して消臭剤Ｄの量の目安とする。【選択図】  図９
2008093125.tif 000002
【特許請求の範囲】
【請求項１】
内部にゾル状またはゲル状の消臭剤を充填した容器と、
該容器に充填した消臭剤の上面に載置されている孔明き板と、
該容器に付設され該孔明き板を弾性的に押圧するインジケーターとからなることを特徴とする消臭器具。
【請求項２】
内部にゾル状またはゲル状の消臭剤を充填した容器の外側に外枠を嵌着し、
該容器内の消臭剤上面には孔明き板を載置し、
該外枠の上面から先端部にＵ字状弯曲部を形成した弾性帯板からなるインジケーターを斜め下方に差出し、
該Ｕ字状弯曲部の底面によって該孔明き板を押圧したことを特徴とする消臭器具。
【請求項３】
請求項２の消臭器具の外側には更に外容器が嵌着され、
該外容器の上面には該インジケーターのＵ字状弯曲部先端が突出する切欠きが設けられており、
該外容器の底面には取付け手段が設けられていることを特徴とする消臭器具。
【請求項４】
上記外容器の一端には上記消臭器具を挿入する挿入口が設けられており、
上記外容器の上面の上記切欠きは該挿入口から奥側に向けて形成されており、
一方該消臭器具の外枠の上記外容器に挿入する挿入端とは反対の端部においては該外枠上面に該外容器の上記切欠きに嵌入する突部または段部が設けられており、
該消臭器具を上下逆にして該外容器に嵌着しようとすると該消臭器具の突部または段部が該外容器の挿入口の下縁に当接する請求項３に記載の消臭器具。
【発明の詳細な説明】
【技術分野】
【０００１】
本発明は例えばレンタカー、ホテルの室内、カラオケボックス等の多数の人が入れ替わり使用する室内の臭いを消すために使用される消臭器具に関するものである。
【背景技術】
【０００２】
この種の消臭器具としては、容器内にゾル状またはゲル状の消臭剤を充填したものが提供されている。該消臭剤は経時によって消費されて行くので、ある程度消費された時点で消臭剤の補充あるいは更新する必要がある。
従来容器に充填した消臭剤の消費をチェックするには、容器の開口部から下端に錘体を付設した装飾体からなるインジケーターを挿入し、該錘体を該容器内の消臭剤上面に当接しておき、消臭剤の消費につれて該錘体の重さで該インジケーターが沈下して行くのを観察する方法（例えば特許文献１）。消臭剤を入れた容器に窓孔を設けておき、外部から観察する方法（例えば特許文献２）。容器の周面を蛇腹にして消臭剤の消費につれて上面が沈下するのを観察する方法（例えば特許文献３）等が提供されている。
【０００３】
【特許文献１】特開２００５−６６７１号公報
【特許文献２】特開２００４−１９６３５４号公報
【特許文献３】特開２００３−２６５０５号公報
【発明の開示】
【発明が解決しようとする課題】
【０００４】
錘体を付設した装飾体からなるインジケーターの場合は、装飾体が容器開口部に引掛ってインジケーターの円滑な沈下を妨げるおそれがあり、容器に窓孔を設けておく方法では、窓孔から消臭剤がこぼれたり、また遠くからでは窓孔を観察することが困難である等の問題点があり、容器の周面を蛇腹にする方法では、蛇腹内側に消臭剤が食い込んで蛇腹が縮むのを妨げると云う問題点がある。
またこれら従来の消臭器具は一定の向きに置かれないと容器から消臭剤がこぼれるおそれがある。
【課題を解決するための手段】
【０００５】
本発明は上記従来の問題点を解決するための手段として、
内部にゾル状またはゲル状の消臭剤Ｄを充填した容器１と、
該容器１に充填した消臭剤Ｄの上面に載置されている孔明き板３と、
該容器１に付設され該孔明き板３を弾性的に押圧するインジケーター７とからなる消臭器具２１（２１Ａ）を提供するものである。
上記消臭器具２１Ａは通常、
内部にゾル状またはゲル状の消臭剤Ｄを充填した容器１の外側に外枠４を嵌着し、
該容器１内の消臭剤Ｄ上面には孔明き板３を載置し、
該外枠４の上面から先端部にＵ字状弯曲部８を形成した弾性帯板からなるインジケーター７を斜め下方に差出し、
該Ｕ字状弯曲部８の底面を該孔明き板３上面に圧設せしめた構成を採る。
上記消臭器具２１Ａの外側には更に外容器１４が嵌着され、
該外容器１４の上面には該インジケーター７のＵ字状弯曲部８の先端９が突出する切欠き１６が設けられており、
該外容器１４の底面には取付け手段１９が設けられていることが望ましく、
この場合には上記外容器１４の一端には上記消臭器具２１Ａを挿入する挿入口１５が設けられており、
上記外容器１４の上面の上記切欠き１６は該挿入口１５から奥側に向けて形成されており、
一方該消臭器具２１Ａの外枠４の上記外容器１４に挿入する挿入端とは反対の端部においては該外枠４上面に該外容器１４の上記切欠き１６に嵌入する突部または段部１０が設けられており、
該消臭器具２１Ａを上下逆にして該外容器１４に嵌着しようとすると該消臭器具２１Ａの突部または段部１０が該外容器１４の挿入口１５の下縁に当接するようにすることが望ましい。
【発明の効果】
【０００６】
〔作用〕
（請求項１の発明）
該容器１に充填した消臭剤Ｄの上面に載置されている該孔明き板３はインジケーター７によって弾性的に押圧されているから、該消臭器具２１（２１Ａ）をどのような向きに置いても消臭剤Ｄが容器１からこぼれにくい。また消臭剤Ｄが消費されるにつれて該消臭剤Ｄの上面が下降し、それにつれて該孔明き板３が下降し、更にインジケーター７が下降するので、該インジケーター７の下降の度合によって該容器１内の消臭剤Ｄの補充または更新の時期を判断する。
【０００７】
（請求項２の発明）
該容器１に充填した消臭剤Ｄが消費されるにつれて、該消臭剤Ｄ上面が下降し、それに伴って該孔明き板３が沈下し、更に該外枠４に具備されている弾性帯板からなるインジケーター７のＵ字状弯曲部８の先端９が弾性的に沈下する。このようなインジケーター７のＵ字状弯曲部８の先端の沈下の度合を観察して該容器１内の消臭剤Ｄの補充または更新時期を判断する。
【０００８】
（請求項３の発明）
底面に取付け手段１９が設けられた外容器１４を上記消臭器具２１Ａの外側に嵌着すると、該外容器１４を介して所定の位置に該消臭器具２１Ａを取付け固定することが出来、簡単に該消臭器具２１Ａを持ち去ることが出来なくなる。該インジケーター７のＵ字状弯曲部８の先端は該外容器１４の切欠き１６から出設し、入設した状態で容器１内の消臭剤Ｄの補充または更新時期を判断する。
【０００９】
（請求項４の発明）
上記請求項１の消臭器具２１Ａは上記外容器１４の挿入口１５から挿入されるが、この場合には外枠４の上面の突部または段部１０が該外容器１４の上面切欠き１６に嵌入する。しかし該消臭器具２１Ａを上下逆にして該外容器１４に挿入しようとすると、該消臭器具２１Ａの突部または段部１０が該外容器１４の挿入口１５の下縁に突当たるから挿入が出来なくなる。
【００１０】
〔効果〕
本発明の消臭器具にあっては、消臭剤の量をインジケーターで容易に見分けることが出来、消臭剤の補充や更新の時期を正確に判断することが出来る。
【発明を実施するための最良の形態】
【００１１】
本発明の一実施例を図１〜図９に示す。なお、本発明は該実施例にのみ限定されるものではない。
図１に示すのはゾル状またはゲル状の消臭剤Ｄを充填した透明樹脂製の容器１であり、該容器１の上周面からはフランジ２が差出されている。該消臭剤Ｄは例えば微量の二酸化塩素を含む亜塩素酸ナトリウム水溶液にゲル化剤としてポリビニルアルコールを添加したゲル状消臭剤である。
該容器１は未使用の状態では該フランジ２上面を介して図示しないシールシートによってシールされており、使用に際しては該シールシートを剥離して図２に示す孔明き板３を該容器１内の消臭剤Ｄの上面に載置する。所望なれば、シール前に容器１内の消臭剤Ｄの上面に孔明き板３を載置し、シールシートによってシールし、使用に際しては該シールシートを剥離して使用するようにしてもよい。
【００１２】
図３および図４に示すのは樹脂製の外枠４であって、該外枠４の本体４Ａは横断面コの字形状であり、天面の両側と中央には縦長開口部５，５，６が設けられており、中央開口部６の尾端からはインジケーター７が頭端に向かって差出されている。該インジケーター７は該外枠４と一体的に形成されており、先端に向かって底部側に傾斜し、先端部にはＵ字状弯曲部８が形成され、該インジケーター７の上下の動きによって該弯曲部８の先端部９が該外枠本体４Ａの中央開口部６から出没するように設定されている。
【００１３】
該外枠４の本体４Ａ頭端には頭部Ｈが形成されており、該頭部Ｈは該外枠本体４Ａの面周辺よりも突出しており、該頭部Ｈの上面中央部は該外枠本体４Ａの中央開口部６の頭端に向かって突出し段部１０を形成している。
【００１４】
該外枠本体４Ａの両側面底端からは内側に底部ガイドフランジ１１，１１がそれぞれ差出されており、該底部ガイドフランジ１１，１１の頭端と該頭部Ｈとは段部１２，１２を介して接しており、更に該底部ガイドフランジ１１，１１の頭端部底面には係止突起１３，１３がそれぞれ突設されている。
【００１５】
図５および図６に示すのは外容器１４であって、該外容器１４の一端には該外枠４を挿入する挿入口１５が設けられており、更に該外容器１４の上面頭端縁からは切欠き１６が設けられており、更に該切欠き１６の両側には縦長開口部１７Ａ，１７Ａおよび該切欠き１６の尾端側には縦長開口部１７Ｂが設けられている。更に該外容器１４の底面には左右一対の突條１８，１８が設けられており、該突條１８，１８の両端部にはそれぞれ長孔１９Ａを伴ったビス孔１９が設けられている。更に該外容器１４の底面挿入口端側には左右一対の係止孔２０，２０が設けられている。
【００１６】
本実施例の消臭器具２１を組立てるには、まず上記消臭剤Ｄを充填した容器１の消臭剤Ｄの上面に孔明き板３を載置した状態で該容器１を上記外枠４の尾端から該外枠４内へ挿入する。この際該容器１は該外枠４の天面と底部ガイドフランジ１１，１１によってガイドされ、該外枠４のインジケーター７は該容器１の頭端側周壁を乗越え、該容器１が完全に該外枠４の内側に嵌着された状態では該インジケーター７のＵ字状弯曲部８の底面によって該孔明き板３が弾性的に押圧される。
このようにして図７に示す請求項１の発明にかかる一実施例の消臭器具２１Ａが組立てられる。
【００１７】
上記消臭器具２１Ａの外側には更に上記外容器１４が嵌着されてもよい。この際該消臭器具２１Ａは該外容器１４の挿入口１５から尾端側を先頭にして挿入されるが、該消臭器具２１Ａの上下の向きが正しい場合には該消臭器具２１Ａの外枠４の段部１０が該外容器１４の上面切欠き１６に嵌入する。しかし該消臭器具２１Ａの上下の向きが逆の場合には、該消臭器具２１Ａを該外容器１４に挿入しようとすると、該消臭器具２１Ａの段部１０が該外容器１４の挿入口１５の下縁に突当るから挿入が出来なくなり、このようにして該消臭器具２１Ａの逆取付けが防止される。
そして該消臭器具２１Ａが該外容器１４に完全に嵌着された状態では、該消臭器具２１Ａの外枠４の係止突起１３，１３が該外容器１４の係止孔２０，２０にそれぞれ嵌合し、また該外枠本体４Ａの端面周辺より突出した該外枠４の頭部Ｈが該外容器１４の挿入口１５の面周縁に当接し、かくして該消臭器具２１Ａは該外容器１４に解離可能に固定され、図８に示すように外容器１４を被着した消臭器具２１が組立てられる。
【００１８】
該外容器１４を有する消臭器具２１は該外容器１４底面の取付け手段を介して所定個所に取付けることが出来る。即ち該外容器１４の底面には取付け手段であるビス孔１９を介して所定個所にビスによって固定したり、また該外容器１４の底面にマジックファスナーを貼着しておけば、自動車の椅子等の繊維シートからなるカバー等に固定することが出来る。更に両面粘着テープを使用してもよい。
【００１９】
本発明の消臭器具２１Ａ，２１にあっては、容器１内の消臭剤Ｄの上面に載置した孔明き板３をインジケーター７によって弾性的に押圧固定するから、該消臭器具２１Ａ，２１をどのような向きに取付けても、容器１から消臭剤Ｄがこぼれにくくなる。
【００２０】
上記消臭器具２１は容器１内の消臭剤Ｄの消費量が少ない状態では図８および図９実線状態に示すようにインジケーター７のＵ字状弯曲部８の先端部９が外容器１４の切欠き１６から突出した状態にある。該消臭剤Ｄから揮発する水等の揮発成分は孔明き板３の開口部を通って外枠４の開口部５，５，６、該外容器１４の切欠き１６や開口部１７Ａ，１７Ａ，１７Ｂから外界に揮散するが、該揮発成分の揮散の度合は該孔明き板３の開口部面積によって調節することが出来る。
図９点線状態に示すようにインジケーター７のＵ字状弯曲部８の先端部９が外容器１４の切欠き１６から入設した状態になったら、消臭剤Ｄの補充または更新時期と判断する。
上記実施例以外インジケーターは該容器内の消臭剤に載置した孔明き板を弾性的に押圧する手段であれば、如何なる手段のものであってもよい。
【産業上の利用可能性】
【００２１】
本発明の消臭器具は使い捨てでなく、インジケーターで容易に消臭剤の補充または更新時期を判断出来るから、産業上利用可能である。
【図面の簡単な説明】
【００２２】
図１〜図９は本発明の一実施例を説明する図である。
【図１】消臭剤容器の斜視図
【図２】孔明き板の斜視図
【図３】外枠の天面側斜視図
【図４】外枠の底面側斜視図
【図５】外容器の天面側斜視図
【図６】外容器の底面側斜視図
【図７】消臭剤容器と外枠とからなる消臭器具の斜視図
【図８】外容器を取付けた消臭器具の斜視図
【図９】図８の消臭器具の側断面図
【符号の説明】
【００２３】
１    消臭容器
３    孔明き板
４    外枠
７    インジケーター
８    Ｕ字状弯曲部
１４    外容器
２１，２１Ａ    消臭器具
Ｄ    消臭剤
【図１】
2008093125.tif 000003
【図２】
2008093125.tif 000004
【図３】
2008093125.tif 000005
【図４】
2008093125.tif 000006
【図５】
2008093125.tif 000007
【図６】
2008093125.tif 000008
【図７】
2008093125.tif 000009
【図８】
2008093125.tif 000010
【図９】
2008093125.tif 000011
【手続補正書】
【提出日】平成18年10月13日(2006.10.13)
【手続補正１】
【補正対象書類名】図面
【補正対象項目名】全図
【補正方法】変更
【補正の内容】
【図１】
2008093125.tif 000012
【図２】
2008093125.tif 000013
【図３】
2008093125.tif 000014
【図４】
2008093125.tif 000015
【図５】
2008093125.tif 000016
【図６】
2008093125.tif 000017
【図７】
2008093125.tif 000018
【図８】
2008093125.tif 000019
【図９】
2008093125.tif 000020